(57)【要約】【課題】一定の距離を壁との間に保って配置されている手すりバーを当該状態で壁に備え付ける手すり取付具の提供。【解決手段】一定の距離を壁との間に保って配置されている手すりバーを壁に縦向きに備え付ける手すり取付具であり、手すりバーと壁との間に側方から寄せ付けられて当該手すりバーを壁に取り付ける一対の組み金物１１０、組み金物２１０及び固定金物２０１、組み金物３１０及び固定金物３０１、組み金物４１０及び取付台４０１を備えて構成してある。【選択図】図５
2006144457.tif 000002
【特許請求の範囲】
【請求項１】
一定の距離を壁との間に保って配置されている手すりバーを当該壁に沿うように縦向きに備え付ける手すり取付具であって、
この手すり取付具が、前記手すりバーの両側方から当該手すりバーに向けて寄せ付けられて当該手すりバーを前記壁に取り付ける一対の組み金物を備えており、
この組み金物が、互いに向き合って前記手すりバーと前記壁との間に位置づけられるアーム部とこの各アーム部の一端側に互いに反対向きに屈曲されて前記手すりバーにそれぞれ接するように備えられているバー取付部とこの各アーム部の他端側に互いに反対向きに屈曲されて前記壁にそれぞれ接するように備えられている壁取付部とを備えていることを特徴とする手すり取付具。
【請求項２】
一定の距離を壁との間に保って配置されている手すりバーを当該壁に沿うように縦向きに備え付ける手すり取付具であって、
この手すり取付具が、当該手すりバーに向けて突き出すアーム部を備えて前記壁に備えられる固定金物と、この固定金物におけるアーム部の両側方から当該アーム部に寄せ付けられて当該アーム部を挟むように組み付けられる組み付けアーム部を備えると共に各組み付けアーム部における前記手すりバー側に互いに反対向きに屈曲されて当該手すりバーにそれぞれ接するように備えられているバー取付部を有する一対の組み金物とを備えていることを特徴とする手すり取付具。
【請求項３】
一定の距離を壁との間に保って配置されている手すりバーを当該壁に沿うように縦向きに備え付ける手すり取付具であって、
この手すり取付具が、当該手すりバーに向けて突き出すアーム部を備えて前記壁に備えられる固定金物と、前記手すりバーの軸中心線を含む仮想の面に沿って当該手すりバーから突設される組み付けアーム部を備えて当該手すりバーに備え付けられる組み金物とを有し、
この組み金物の組み付けアーム部と前記固定金物のアーム部とを互いに向き合わせて組み付け用い得るようにしてあることを特徴とする手すり取付具。
【請求項４】
一定の距離を壁との間に保って配置されている手すりバーを当該壁に沿うように縦向きに備え付ける手すり取付具であって、
前記手すりバーの軸中心線を含む仮想の面に沿って当該手すりバーから突設されるアーム部と当該アーム部の先端部に備えられている前記手すりバーの軸中心を中心とする円弧状取付部とを備えた組み金物と、
当該組み金物における円弧状取付部に密に接する弧状凹面を備えて前記壁に取付け備えられる取付台とを備えていることを特徴とする手すり取付具。
【発明の詳細な説明】
【技術分野】
【０００１】
この発明は、壁に沿って位置決めのされている手すりバーを当該手すりバーや壁面の化粧等を損なうことなく、容易に、しかも、確実に、当該壁に縦向きに取り付け得る手すり取付具の提供に関する。
【背景技術】
【０００２】
居住空間内において各種の動作の補助や、安全を計る目的などから、壁を用いて各種の手すりを備え付けることが種々試みられている。
【０００３】
例えば、玄関土間と玄関フロアー間における出入り動作、各居室と各サニタリー設備間における移動、階段の上り下り動作、用便動作、入浴動作等の各種動作を安全に、しかも、容易になし得るように壁に沿って手すりを設け、この手すりを効果的に用いることが種々試みられている。
【０００４】
このように壁に備えられる手すりは、当該手すりを構成する手すり取付具を前もって壁に備え付けて、この取り付け金物に手すりバーを寄せ付け取り付けたり、手すりバーに前もって取り付け金物を取り付け用意し、この取り付け金物を備えた手すりバーを壁に寄せ付けて当該壁に止着するようにして手すりを構成していた。例えば、特許文献１では、手すり貫通部と対壁面取付座を金属帯板の曲げ加工によって一連に構成した手すり取付け用ブラケットが提案されている。また、特許文献２では、壁面に対して複数箇所において取り付けられる台座からほぼＬ字状に屈曲するように設けた支持片によって手すりを当該壁面に取り付けるようにした手すりブラケットが示されている。
【０００５】
しかしながら、近時、このように壁に備えられる各種手すりは、居住空間を構成する各種の設備や、手すりの使い勝手を良くする目的等から、壁に沿って備えられる各種設備に組み込まれて当該壁に組み付けられるケースが増加する傾向にある。
【０００６】
例えば、壁に備えられているニッチカウンターや手洗いカウンター等の機能を損なうことなく、これらのカウンター部分に縦手すりを備え付けたり、また、前端部分を横手すりとして肘を掛けながら用い得るようにした壁備え付けカウンター部分に当該機能を損なうことなしに縦手すりを備え付けるなど、備え付けの各種設備に対して、手すりバーを組み入れた状態で、当該手すりバーを壁に固定する必要のあるケースが近時増加する傾向にある。
【０００７】
例えば、前端縁部を横手すりとして用い得るように前端縁に沿って長孔を設けて壁に備え付けられているカウンターにおける当該長孔に縦手すりの手すりバーを差し入れた状態で、当該手すりバーを壁に固定する場合にあっては、この手すりバーの壁に対する取り付けに際して当該手すりバーを移動させることなく当該手すりバーを壁に取り付ける必要があった。
【０００８】
前記特許文献１で提案されている手すり取付け用ブラケットでは、手すり材を当該ブラケットの手すり貫通部に挿通用意した後、壁に取り付けるか、当該ブラケットを壁に取り付けた後、これに手すり材を挿通組み付ける必要があり、前記長孔に差し入れられている手すりバーの取付には不向きであった。
【０００９】
また、前記特許文献２に示されている手すりブラケットでは、先端に手すりを支持する支持部を備えるように台座からＬ字状に屈曲して突き出された支持片を備えた構成としてあり、前記カウンターの長孔に差し入れられた手すりバーを当該ブラケットによって壁に取り付けて用いる際に、このＬ字状に突き出されている支持片が当該手すりバーを握っての一連に連続した動作の妨げとなる不具合があり、特に、当該手すりバーを縦手すりとして壁に備え付け用いる際に、このＬ字状に突き出されている支持片が当該手すりバーを握っての上下方向に向けての連続した円滑な動作の妨げとなる不具合があった。
【特許文献１】特開平９−１６５８９１
【特許文献２】特開２０００−３０３６４５
【発明の開示】
【発明が解決しようとする課題】
【００１０】
この発明は、かかる従前の手すりの取り付けにおける不具合を解消し、備え付け対象とされる壁との間の間隔の調整をなし得ない状態にある手すりバーを当該状態のままで備え付け対象の壁に使い勝手良く縦向きに組み付けようとするものであって、例えば、前端縁部に沿って備えられた長孔によって横手すり部を区分構成したカウンターにおける前記長孔に差し入れた縦手すり用の手すりバーを、当該長孔に対する差し入れ状態で、当該手すりバーや壁面化粧等を損なうことなく、容易に、しかも、確実に対象とされる壁に固定しようとするものである。
【課題を解決するための手段】
【００１１】
第１の発明は、前記課題を解決するために、一定の距離を壁との間に保って配置されている手すりバーを当該壁に沿うように縦向きに備え付ける手すり取付具であって、
この手すり取付具が、前記手すりバーの両側方から当該手すりバーに向けて寄せ付けられて当該手すりバーを前記壁に取り付ける一対の組み金物を備えており、
この組み金物が、互いに向き合って前記手すりバーと前記壁との間に位置づけられるアーム部とこの各アーム部の一端側に互いに反対向きに屈曲されて前記手すりバーにそれぞれ接するように備えられているバー取付部とこの各アーム部の他端側に互いに反対向きに屈曲されて前記壁にそれぞれ接するように備えられている壁取付部とを備えていることを特徴とする手すり取付具としてある。
【００１２】
このように構成される手すり取付具は、一定の距離を壁との間に保って配置されている手すりバーを全く移動させることなしに当該壁に沿うように容易かつ確実に当該壁に備え付け、使い勝手の良い手すりを構成することができる。
【００１３】
ついで、第２の発明は、前記課題を解決するために、一定の距離を壁との間に保って配置されている手すりバーを当該壁に沿うように縦向きに備え付ける手すり取付具であって、
この手すり取付具が、当該手すりバーに向けて突き出すアーム部を備えて前記壁に備えられる固定金物と、この固定金物におけるアーム部の両側方から当該アーム部に寄せ付けられて当該アーム部を挟むように組み付けられる組み付けアーム部を備えると共に各組み付けアーム部における前記手すりバー側に互いに反対向きに屈曲されて当該手すりバーにそれぞれ接するように備えられているバー取付部を有する一対の組み金物とを備えていることを特徴とする手すり取付具としてある。
【００１４】
このように構成される手すり取付具は、一定の距離を壁との間に保って配置されている手すりバーを全く移動させることなしに当該壁に沿うように容易かつ確実に当該壁に備え付け、使い勝手の良い手すりを構成することができる。
【００１５】
ついで、第３の発明は、前記課題を解決するために、一定の距離を壁との間に保って配置されている手すりバーを当該壁に沿うように縦向きに備え付ける手すり取付具であって、
この手すり取付具が、当該手すりバーに向けて突き出すアーム部を備えて前記壁に備えられる固定金物と、前記手すりバーの軸中心線を含む仮想の面に沿って当該手すりバーから突設される組み付けアーム部を備えて当該手すりバーに備え付けられる組み金物とを有し、
この組み金物の組み付けアーム部と前記固定金物のアーム部とを互いに向き合わせて組み付け用い得るようにしてあることを特徴とする手すり取付具としてある。
【００１６】
このように構成される手すり取付具は、一定の距離を壁との間に保って配置されている手すりバーを、当該手すりバーと取り付け対象の壁との間の間隔を全く変更させることなしに当該壁に沿うように容易かつ確実に当該壁に備え付け、使い勝手の良い手すりを構成することができる。
【００１７】
ついで、第４の発明は、前記課題を解決するために、一定の距離を壁との間に保って配置されている手すりバーを当該壁に沿うように縦向きに備え付ける手すり取付具であって、
前記手すりバーの軸中心線を含む仮想の面に沿って当該手すりバーから突設されるアーム部と当該アーム部の先端部に備えられている前記手すりバーの軸中心を中心とする円弧状取付部とを備えた組み金物と、
当該組み金物における円弧状取付部に密に接する弧状凹面を備えて前記壁に取付け備えられる取付台とを備えていることを特徴とする手すり取付具としてある。
【００１８】
このように構成される手すり取付具は、一定の距離を壁との間に保って配置されている手すりバーを、当該手すりバーと取り付け対象の壁との間の間隔を全く変更させることなしに当該壁に沿うように容易かつ確実に当該壁に備え付け、使い勝手の良い手すりを構成することができる。
【発明の効果】
【００１９】
この発明にかかる手すり取付具は、一定の距離を壁との間に保って配置されている手すりバーを、当該手すりバーと取り付け対象の壁との間の間隔を全く変更させることなしに当該壁に沿うように容易かつ確実に当該壁に縦向きに備え付けることができ、当該手すりバーの取り付けに伴って手すりバーや壁面の化粧等を何ら損なうことがない。
【発明を実施するための最良の形態】
【００２０】
以下、図１〜図２０に基づいて、この発明を実施するための最良の形態について説明する。
【００２１】
なお、ここで図１〜図５は、第１の発明を実施するための最良の形態に係る手すり取付具Ａａを示しており、図１では、当該手すり取付具Ａａを用いて手すりバー１３０を壁１６４に備えた状態を斜め上方から見て示しており、図２では、これを縦方向で断面して示している。図３では、当該手すり取付具Ａａの各部品を分離した状態を斜め上方から見て示しており、図４では、この手すり取付具Ａａを用いて手すりバー１３０を壁１６４に備え付ける状態を理解し易いように当該手すりバー１３０部分を仮想線で示すと共に斜め上方から見て示している。更に、図５では、当該手すり取付具Ａａを用いてカウンターに備えられている手すりバー１３０を壁１６４に備え付けた状態を水平方向で断面で示している。
【００２２】
ついで、図６〜図１０は、第２の発明を実施するための最良の形態に係る手すり取付具Ａｂを示しており、図６では、当該手すり取付具Ａｂを用いて手すりバー２３０を壁２６４に備えた状態を斜め上方から見て示しており、図７では、これを縦方向で断面して示している。図８では、当該手すり取付具Ａｂの各部品を分離した状態を斜め上方から見て示しており、図９では、この手すり取付具Ａｂを用いて手すりバー２３０を壁２６４に備え付ける状態を理解し易いように当該手すりバー２３０部分を仮想線で示すと共に斜め上方から見て示している。更に、図１０では、当該手すり取付具Ａｂを用いてカウンターに備えられている手すりバー２３０を壁２６４に備え付けた状態を水平方向で断面で示している。
【００２３】
ついで、図１１〜図１５は、第３の発明を実施するための最良の形態に係る手すり取付具Ａｃを示しており、図１１では、当該手すり取付具Ａｃを用いて手すりバー３３０を壁３６４に備えた状態を斜め上方から見て示しており、図１２では、これを縦方向で断面して示している。図１３では、当該手すり取付具Ａｃの各部品を分離した状態を斜め上方から見て示しており、図１４では、この手すり取付具Ａｃを用いて手すりバー３３０を壁３６４に備え付ける状態を理解し易いように当該手すりバー３３０部分を仮想線で示すと共に斜め上方から見て示している。更に、図１５では、当該手すり取付具Ａｃを用いてカウンターに備えられている手すりバー３３０を壁３６４に備え付けた状態を水平方向で断面で示している。
【００２４】
ついで、図１６〜図２０は、第４の発明を実施するための最良の形態に係る手すり取付具Ａｄを示しており、図１６では、当該手すり取付具Ａｄを用いて手すりバー４３０を壁４６４に備えた状態を斜め上方から見て示しており、図１７では、これを縦方向で断面して示している。図１８では、当該手すり取付具Ａｄの各部品を分離した状態を斜め上方から見て示しており、図１９では、この手すり取付具Ａｄを用いて手すりバー４３０を壁４６４に備え付ける状態を理解し易いように当該手すりバー４３０部分を仮想線で示すと共に斜め上方から見て示している。更に、図２０では、当該手すり取付具Ａｄを用いてカウンターに備えられている手すりバー４３０を壁４６４に備え付けた状態を水平方向で断面で示している。
【００２５】
この第１の発明を実施するための最良の形態に係る手すり取付具Ａａは、一定の距離を壁１６４との間に保って配置されている手すりバー１３０を当該壁１６４に沿うように縦向きに備え付ける手すり取付具Ａａであって、
この手すり取付具Ａａが、前記手すりバー１３０の両側方から当該手すりバー１３０に向けて寄せ付けられて当該手すりバー１３０を前記壁１６４に取り付ける一対の組み金物１１０を備えており、
この組み金物１１０が、互いに向き合って前記手すりバー１３０と前記壁１６４との間に位置づけられるアーム部１１１とこの各アーム部１１１の一端側に互いに反対向きに屈曲されて前記手すりバー１３０にそれぞれ接するように備えられているバー取付部１１３、１１３とこの各アーム部１１１の他端側に互いに反対向きに屈曲されて前記壁１６４にそれぞれ接するように備えられている壁取付部１１２、１１２とを備えている構成としてある。
【００２６】
かかる手すり取付具Ａａを構成する組み金物１１０は、強度の観点から鉄、銅、アルミニウムなどの金属材料が好ましい。また鋳込み成形や、曲げ加工や、切断・曲げ・溶接加工等いかなる方法によって構成してあってもよい。
【００２７】
かかる手すり取付具Ａａを用いて壁１６４に取り付けられる手すりバー１３０は、当該壁１６４との間に一定の距離を保って配置されている手すりバー１３０であれば、いかなる手すりバー１３０であってもよく、当該手すりバー１３０が壁１６４に備えられている各種構成物に前もって固定的に組み付けられているものであっても、また、壁１６４に備えられている各種構成物に対して当該壁１６４に平行に移動し得るように組み付けられているものであってもよい。
【００２８】
かかる壁１６４との間の距離を一定とされている手すりバー１３０は、例えば、壁１６４に備えられている手洗いカウンターのような壁備え付けカウンター、ニッチカウンター、出窓カウンター等の各種のカウンターの縁部に沿って備えられている長孔で区分された横手すり部を有するカウンター等に対して縦手すりＨ’として差し入れられる手すりバー１３０等のように、当該壁１６４に対して平行に移動し得るものの、当該壁１６４との間の間隔を一定に保持されるように備えられる手すりバー１３０であれば、いかなる手すりバーであってもよい。
【００２９】
また、前記手すり取付具Ａａは、前記手すりバー１３０の両側方から当該手すりバー１３０に向けて寄せ付けられて当該手すりバー１３０を前記壁１６３に縦向きに取り付け得る一対の組み金物１１０を備えておれば、いかなる構成としてあってもよい。
【００３０】
また、この組み金物１１０は、互いに向き合って前記手すりバー１３０と前記壁１６４との間に位置づけられるアーム部１１１とこの各アーム部１１１の一端側に互いに反対向きに屈曲されて前記手すりバー１３０にそれぞれ接するように備えられているバー取付部１１３とこの各アーム部１１１の他端側に互いに反対向きに屈曲されて前記壁１６４にそれぞれ接するように備えられている壁取付部１１２とを備えたものであれば、いかなる構成からなるものであってもよい。
【００３１】
このように構成される手すり取付具Ａａは、一定の距離を壁１６４との間に保って配置されている手すりバー１３０を全く移動させることなしに、この手すりバー１３０の両側方から組み金物１１０を当該手すりバー１３０に寄せ付けるようにして、壁１６４に沿うように手すりバー１３０を当該壁１６４に容易かつ確実に縦向きに備え付けて、外観体裁の良好な手すりＨを構成することができる。
【００３２】
ついで、第２の発明を実施するための最良の形態に係る手すり取付具Ａｂは、一定の距離を壁２６４との間に保って配置されている手すりバー２３０を当該壁２６４に沿うように縦向きに備え付ける手すり取付具Ａｂであって、
この手すり取付具Ａｂが、当該手すりバー２３０に向けて突き出すアーム部２０２を備えて前記壁２６４に備えられる固定金物２０１と、この固定金物２０１におけるアーム部２０２の両側方から当該アーム部２０２に寄せ付けられて当該アーム部２０２を挟むように組み付けられる組み付けアーム部２１１を備えると共に各組み付けアーム部２１１における前記手すりバー２３０側に互いに反対向きに屈曲されて当該手すりバー２３０にそれぞれ接するように備えられているバー取付部２１２を有する一対の組み金物２１０とを備えた構成としてある。
【００３３】
かかる手すり取付具Ａｂを構成する固定金物２０１及び組み金物２１０は、強度の観点から鉄、銅、アルミニウム等の金属材料が好ましい。また鋳込み成形や、曲げ加工や、切断・曲げ・溶接加工等いかなる方法によって構成してあってもよい。
【００３４】
かかる手すり取付具Ａｂを用いて壁２６４に取り付けられる手すりバー２３０は、当該壁２６４との間に一定の距離を保って配置されている手すりバー２３０であれば、いかなる手すりバーであってもよく、当該手すりバー２３０が壁２６４等に備えられている各種構成物に前もって固定的に組み付けられているものであっても、また、壁２６４に備えられている各種構成物に対して当該壁２６４に平行に移動し得るように組み付けられているものであってもよい。
【００３５】
かかる壁２６４との間の距離を一定とされている手すりバー２３０は、例えば、壁２６４に備えられている手洗いカウンターのような壁備え付けカウンター、ニッチカウンター、出窓カウンター等の各種のカウンターの縁部に沿って備えられている長孔で区分された横手すり部を有するカウンター等に対して縦手すりＨ’として差し入れられる手すりバー等のように、当該壁２６４に対して平行に移動し得るものの、当該壁２６４との間の間隔を一定に保持されるように備えられる手すりバー２３０であれば、いかなる手すりバーであってもよい。
【００３６】
また、前記手すり取付具Ａｂは、前記手すりバー２３０に向けて突き出すアーム部２０２を備えて前記壁２６４に備えられる固定金物２０１と、この固定金物２０１におけるアーム部２０２の両側方から当該アーム部２０２に寄せ付けられて当該アーム部２０２を挟むように組み付けられる組み付けアーム部２１１を備えると共に各組み付けアーム部２１１における前記手すりバー２３０側に互いに反対向きに屈曲されて当該手すりバー２３０にそれぞれ接するように備えられているバー取付部２１２を有する一対の組み金物２１０とを備え、手すりバー２３０を壁２６４に対して縦向きに組み付け得るものであれば、いかなる構成の手すり取付具Ａｂであってもよい。
【００３７】
このように構成される手すり取付具Ａｂは、一定の距離を壁２６４との間に保って配置されている手すりバー２３０を全く移動させることなしに、前記固定金物２０１の両側方から組み金物２１０を当該手すりバー２３０に寄せ付けるようにして、壁２６４に沿うように手すりバー２３０を当該壁２６４に容易かつ確実に縦向きに備え付けて、外観体裁の良好な手すりＨを構成することができる。
【００３８】
ついで、第３の発明を実施するための最良の形態に係る手すり取付具Ａｃは、一定の距離を壁３６４との間に保って配置されている手すりバー３３０を当該壁３６４に沿うように縦向きに備え付ける手すり取付具Ａｃであって、
この手すり取付具Ａｃが、当該手すりバー３３０に向けて突き出すアーム部３０２を備えて前記壁３６４に備えられる固定金物３０１と、前記手すりバー３３０の軸中心線を含む仮想の面に沿って当該手すりバー３３０から突設される組み付けアーム部３１１を備えて当該手すりバー３３０に備え付けられる組み金物３１０とを有し、
この組み金物３１０の組み付けアーム部３１１と前記固定金物３０１のアーム部３０２とを互いに向き合わせて組み付け用い得るようにしてある。
【００３９】
かかる手すり取付具Ａｃを構成する固定金物３０１及び組み金物３１０は、強度の観点から鉄、銅、アルミニウム等の金属材料が好ましい。また鋳込み成形や、曲げ加工や、切断・曲げ・溶接加工等いかなる方法によって構成してあってもよい。
【００４０】
かかる手すり取付具Ａｃを用いて壁３６４に取り付けられる手すりバー３３０は、当該壁３６４との間に一定の距離を保って配置されている手すりバーであれば、いかなる手すりバーであってもよく、当該手すりバー３３０が壁３６４に備えられている各種構成物に前もって固定的に組み付けられているものであっても、また、壁３６４に備えられている各種構成物に対して当該壁３６４に平行に移動し得るように組み付けられているものであってもよい。
【００４１】
かかる壁３６４との間の距離を一定とされている手すりバー３３０は、例えば、壁３６４に備えられている手洗いカウンターのような壁備え付けカウンター、ニッチカウンター、出窓カウンター等の各種のカウンターの縁部に沿って備えられている長孔で区分された横手すり部を有するカウンター等に対して縦手すりＨ’として差し入れられる手すりバー等のように、当該壁３６４に対して平行に移動し得るものの、当該壁３６４との間の間隔を一定に保持されるように備えられる手すりバーであれば、いかなる手すりバーであってもよい。
【００４２】
前記手すり取付具Ａｃは、手すりバー３３０を縦向きに壁３６４に備え付け得るように、前記手すりバー３３０に向けて突き出すアーム部３０２を備えて前記壁３６４に備えられる固定金物３０１と、前記手すりバー３３０の軸中心線を含む仮想の面に沿って当該手すりバー３３０から突設される組み付けアーム部３１１を備えて当該手すりバー３３０に備え付けられる組み金物３１０とを有し、しかも、この組み金物３１０の組み付けアーム部３１１と前記固定金物３０１のアーム部３０２とを互いに向き合わせて組み付け用い得るようにしてあれば、いかなる構成としてあってもよい。
【００４３】
このように構成される手すり取付具Ａｃは、一定の距離を壁３６４との間に保って配置されている手すりバー３３０を全く移動させることなしに、前記固定金物３０１のアーム部３０２に前記組み金物３１０の組み付けアーム部３１１を向き合わせるように当該組み金物３１０を寄せ付け、または、当該組み金物３１０を備えた手すりバー３３０を回動することによって、手すりバー３３０を当該壁３６４に沿うように容易かつ確実に縦向きに備え付けて、外観体裁の良好な手すりＨを構成することができる。
【００４４】
ついで、第４の発明を実施するための最良の形態に係る手すり取付具Ａｄは、一定の距離を壁４６４との間に保って配置されている手すりバー４３０を当該壁４６４に沿うように縦向きに備え付ける手すり取付具Ａｄであって、
前記手すりバー４３０の軸中心線を含む仮想の面に沿って当該手すりバー４３０から突設されるアーム部４１１と当該アーム部４１１の先端部に備えられている前記手すりバー４３０の軸中心を中心とする円弧状取付部４１３とを備えた組み金物４１０と、
当該組み金物４１０における円弧状取付部４１３に密に接する弧状凹面４０１ｂを備えて前記壁４６４に取付け備えられる取付台４０１とを備えている構成としてある。
【００４５】
かかる手すり取付具Ａｄを構成する組み金物４１０は、強度の観点から鉄、銅、アルミニウム等の金属材料が好ましい。また鋳込み成形や、曲げ加工や、切断・曲げ・溶接加工等いかなる方法によって構成してあってもよい。
【００４６】
また、かかる手すり取付具Ａｄを構成する組み金物４１０は、前記手すりバー４３０の軸中心線を含む仮想の面に沿って当該手すりバー４３０から突設されるアーム部４１１と当該アーム部４１１の先端部に備えられている前記手すりバー４３０の軸中心を中心とする円弧状取付部４１３とを備え、手すりバー４３０を縦向きに壁４６４に備え付け得る構成の組み金物４１０であればいかなる形態のものであってもよい。
【００４７】
また、前記取付台４０１は、前記組み金物４１０の円弧状取付部４１３に密に接し得る弧状凹面４０１ｂを備えて壁４６４に備え付け得るものであれば、いかなる素材によって構成してあっても、また、いかなる形態に構成してあってもよい。
【００４８】
かかる手すり取付具Ａｄを用いて壁４６４に取り付けられる手すりバー４３０は、当該壁４６４との間に一定の距離を保って配置されている手すりバー４３０であれば、いかなる手すりバーであってもよく、当該手すりバー４３０が壁４６４に備えられている各種構成物に前もって固定的に組み付けられているものであっても、また、壁４６４に備えられている各種構成物に対して当該壁４６４に平行に移動し得るように組み付けられているものであってもよい。
【００４９】
かかる壁４６４との間の距離を一定とされている手すりバー４３０は、例えば、壁４６４に備えられている手洗いカウンターのような壁備え付けカウンター、ニッチカウンター、出窓カウンター等の各種のカウンターの縁部に沿って備えられている長孔で区分された横手すり部を有するカウンター等に対して縦手すりＨ’として差し入れられる手すりバー等のように、当該壁４６４に対して平行に移動し得るものの、当該壁４６４との間の間隔を一定に保持されるように備えられる手すりバー４３０であれば、いかなる手すりバーであってもよい。
【００５０】
このように構成される手すり取付具Ａｄは、一定の距離を壁４６４との間に保って配置されている手すりバー４３０を全く移動させることなしに、前記取付台４０１と手すりバー４３０とに前記組み金物４１０を寄せ付け、または、当該組み金物４１０を備えた手すりバー４３０を回動することによって、手すりバー４３０を当該壁４６４に沿うように容易かつ確実に縦向きに備え付けて、外観体裁の良好な手すりＨを構成することができる。
【００５１】
まず、図１〜図５に示される手すり取付具Ａａについて具体的に説明する。
この図１〜図５に示される手すり取付具Ａａは、一定の距離を壁１６４との間に保って配置されている手すりバー１３０を当該壁１６４に沿うように縦向きに備え付ける手すり取付具Ａａであって、
この手すり取付具Ａａが、前記手すりバー１３０の両側方から当該手すりバー１３０に向けて寄せ付けられて当該手すりバー１３０を前記壁１６４に取り付ける一対の組み金物１１０を備えており、
この組み金物１１０が、互いに向き合って前記手すりバー１３０と前記壁１６４との間に位置づけられるアーム部１１１とこの各アーム部１１１の一端側に互いに反対向きに屈曲されて前記手すりバー１３０にそれぞれ接するように備えられているバー取付部１１３とこの各アーム部１１１の他端側に互いに反対向きに屈曲されて前記壁１６４にそれぞれ接するように備えられている壁取付部１１２とを備えている構成としてある。
【００５２】
かかる手すり取付具Ａａは、壁１６４との間に一定の距離を保つように配置されている手すりバー１３０を当該壁１６４に対して容易かつ確実に縦向きに組み付け得る構成を備えたものである。
【００５３】
このように、壁１６４との間に一定の距離を保つように配置されている手すりバー１３０の典型的な一例として、この図示例にあっては、壁１６４に備えられているニッチ１５０のニッチカウンター１５１に組み付けられた手すりバー１３０を示している。更に、具体的には、玄関１６０における玄関土間１６１と玄関フロアー１６２間に備えられている上がり框１６３の側方にある壁１６４に設けられているニッチ１５０のニッチカウンター１５１に組み付けられる手すりバー１３０を前記手すり取付具Ａａを用いて当該壁１６４に縦向きに備え付けた適用例を示している。
【００５４】
この図示例に係る手すりバー１３０は、より詳細には、前端縁部に沿って横手すり部１５１ａを備えるように手先部を差し入れ得る十分な幅を備えた長孔１５１ｂを当該前端縁に沿って備えているニッチカウンター１５１における当該長孔１５１ｂに差し入れられており、この長孔１５１ｂに対して縦向きに差し入れ状態にある手すりバー１３０を当該ニッチ１５０の備えられている壁１６４に沿うように、当該壁１６４に対して、その上部側と下部側とを前記手すり取付具Ａａで固定し、前記横手すり部１５１ａに連続する縦手すりＨ’を構成するようにしてある。なお、この図示例にあっては、当該長孔１５１ｂに差し入れ備えられて縦手すりＨ’を構成する手すりバー１３０における中心軸線と壁面との間の間隔をほぼ６０mm前後にしてあり、この手すりバー１３０を縦手すりＨ’として効果的に用い得るようにしてある。
【００５５】
この図示例において手すり取付具Ａａを構成する一対の組み金物１１０は、互いに板面を接するように背中合わせの状態で組み付けられる縦向きの板状をなす一対のアーム部１１１と、この板状をなす各アーム部１１１における一端側を互いに反対の向きにほぼ直角に屈曲するようにして設けてある板状の壁取付部１１２と、前記板状をなすアーム部１１１における他端側を互いに反対の向きに屈曲するように設けた湾曲板状のバー取付部１１３とを備えており、この各バー取付部１１３が連続して前記手すりバー１３０における円周方向の面に密に接する一連の円弧状面をなすようにしてある。
【００５６】
かかる対をなす組み金物１１０を、前記ニッチカウンター１５１に縦向きに組み付けられている手すりバー１３０における両側方から、この手すりバー１３０に寄せ付けるように、当該手すりバー１３０と壁１６４との間に組み入れ、この組み金物１１０における湾曲板状をなす各バー取付部１１３を手すりバー１３０の外周面に接しさせ、また、前記アーム部１１１を壁面から直角に突き出すように板状をなす壁取付部１１２を当該壁１６４に接しさせた状態で、この各バー取付部１１３を前記手すりバー１３０に、壁取付部１１２を前記壁１６４にそれぞれ止着し、かつ、前記背中合わせ状態で密着されている各アーム部１１１を相互に止め付ける。
【００５７】
かかる各アーム部１１１相互の止着にあっては、例えば、当該板状をなすアーム部１１１に設けられている各孔１１１ａを用いて当該孔１１１ａに挿通したボルト１４１にナット１４２を締め付けてなすことができる。また、前記手すりバー１３０に対するバー取付部１１３の止着にあっては、このバー取付部１１３に設けられている各孔１１３ａからビス１４３を当該手すりバー１３０にねじ入れてなすことができる。また、前記壁１６４に対する壁取付部１１２の止着にあっては、この壁取付部１１２に設けられている各孔１１２ａから当該壁１６４にビス１４３をねじ入れてなすことができる。
【００５８】
このようにしてニッチカウンター１５１に縦向きに組み付けられている各手すりバー１３０の任意の位置、この図示例にあっては、当該ニッチカウンター１５１より下方に位置する手すりバー１３０の下部側と、当該ニッチカウンター１５１を備えるニッチ１５０よりも上方に位置する手すりバー１３０の上部側をそれぞれ前記手すり取付具Ａａを用いて壁１６４に止着し、前記手すりバー１３０の取り付けに用いられた各組み金物１１０をカバー１２０によって覆い隠すようにして、縦手すりＨ’を構成する。
【００５９】
ここで組み金物１１０を覆うカバー１２０は、当該組み金物１１０の全部または主要部を覆って、手すりバー１３０における取付部の外観を整え得るものであれば、いかなる形態のものであってもよく、また、いかなる素材によって構成してあってもよい。
【００６０】
この図示例にあっては、例えば、当該カバー１２０を、前記組み金物１１０によって前記壁１６４に取り付けられる手すりバー１３０の当該取付部がブロック状の外面を呈し得るように横側板部の一つを欠いた状態の箱状に構成してある。
【００６１】
かかるカバー１２０は、例えば、前記板状をなすアーム部１１１の板面に平行に組み付けられる四角形の底板部１２１と、この底板部１２１の一側縁に突設されて前記板状をなす壁取付部１１２に押し当てられる四角形の横側板部１２２と、この横側板部１２２に連続して前記底板部１２１の上下の縁から突設されて各先端縁１２３ａ、１２４ａを前記アーム部１１１の板面に、また、各側端縁１２３ｂ、１２４ｂを前記アーム部１１１のバー取付部１１３の板面に押し当てられる上側板部１２３及び下側板部１２４とを備えるように一体成形されたプラスチック製のものとしてあり、このプラスチック製カバー１２０の上側板部１２３及び下側板部１２４の各先端縁１２３ａ、１２４ａから突設されている各引っ掛け片１２５を前記板状をなすアーム部１１１の上縁部と下縁部とに欠設されている凹部１１１ｂに弾性的に引っ掛け、当該板状をなすアーム部１１１を当該引っ掛け片１２５によって挟持すると共に、前記壁取付部１１２とバー取付部１１３間に当該カバー１２０をその弾性を利用して押し入れ止着するようにしてある。
【００６２】
ついで、図６〜図１０に示される手すり取付具Ａｂについて具体的に説明する。
この図６〜図１０に示される手すり取付具Ａｂは、一定の距離を壁２６４との間に保って配置されている手すりバー２３０を当該壁２６４に沿うように縦向きに備え付ける手すり取付具Ａｂであって、
この手すり取付具Ａｂが、当該手すりバー２３０に向けて突き出すアーム部２０２を備えて前記壁２６４に備えられる固定金物２０１と、この固定金物２０１におけるアーム部２０２の両側方から当該アーム部２０２に寄せ付けられて当該アーム部２０２を挟むように組み付けられる組み付けアーム部２１１を備えると共に各組み付けアーム部２１１における前記手すりバー２３０側に互いに反対向きに屈曲されて当該手すりバー２３０にそれぞれ接するように備えられているバー取付部２１２を有する一対の組み金物２１０とを備えた構成としてある。
【００６３】
かかる手すり取付具Ａｂは、壁２６４との間に一定の距離を保つように配置されている手すりバー２３０を当該壁２６４に対して容易かつ確実に縦向きに組み付け得る構成を備えたものである。
【００６４】
このように、壁２６４との間に一定の距離を保つように配置されている手すりバー２３０の典型的な一例として、この図示例にあっては、壁２６４に備えられているニッチ２５０のニッチカウンター２５１に組み付けられた手すりバー２３０を示している。更に、具体的には、玄関２６０における玄関土間２６１と玄関フロアー２６２間に備えられている上がり框２６３の側方にある壁２６４に設けられているニッチ２５０のニッチカウンター２５１に組み付けられる手すりバー２３０を前記手すり取付具Ａｂを用いて当該壁２６４に縦向きに備え付けた適用例を示している。
【００６５】
この図示例に係る手すりバー２３０は、より詳細には、前端縁部に沿って横手すり部２５１ａを備えるように手先部を差し入れ得る十分な幅を備えた長孔２５１ｂを当該前端縁に沿って備えているニッチカウンター２５１における当該長孔２５１ｂに差し入れられており、この長孔２５１ｂに対して縦向きに差し入れ状態にある手すりバー２３０を当該ニッチ２５０の備えられている壁２６４に沿うように、当該壁２６４に対して、その上部側と下部側とを前記手すり取付具Ａｂで固定し、前記横手すり部２５１ａに連続する縦手すりＨ’を構成するようにしてある。
【００６６】
この図示例において手すり取付具Ａｂを構成する固定金物２０１は、前記手すりバー２３０に向けてアーム部２０２を突き出すようにして前記壁２６４に備えられており、この図示例にあっては、前記壁２６４に添装状態で備え付けられる板状をなす壁取付部２０３と、この壁取付部２０３からほぼ直角に前方に突き出すように備えられている縦向きの板状をなすアーム部２０２とを備えた構成としてある。
【００６７】
より詳細には、板状をなす壁取付部２０３から直角に突設されているアーム部２０２における両側方にある各壁取付部２０３に設けられている孔２０３ａからビス２４３を当該壁２６４にねじ入れ、この固定金物２０１を手すりバー２３０の組み付け対象壁部に止着用いるようにしてある。
【００６８】
また、この固定金物２０１におけるアーム部２０２には、当該アーム部２０２を挟むように組み付けられる組み金物２１０における各組み付けアーム部２１１を組み付ける孔２０２ａが設けてあり、壁２６４に備えられた当該固定金物２０１におけるアーム部２０２が、当該壁２６４に沿って備えられている手すりバー２３０と当該壁２６４間に余裕を持って収まり得る突きだし幅としてある。
【００６９】
かかる固定金物２０１に組み付けられる組み金物２１０は一対のものとして用意してあり、当該固定金物２０１における板状をなすアーム部２０２の両側方から当該アーム部２０２に寄せ付けられて当該板状をなすアーム部２０２を挟むように組み付けられる板状の組み付けアーム部２１１を備え、しかも、この板状をなす組み付けアーム部２１１の前記手すりバー２３０側にあって、当該手すりバー２３０に密着した状態で止着し得る形状の湾曲板状をなすバー取付部２１２を備えており、この互いに反対向きに屈曲するように備えられた対をなすバー取付部２１２が手すりバー２３０の外周面に密着する一連に連続した円弧状面をなすようにしてある。
【００７０】
また、この組み金物２１０における組み付けアーム部２１１には、前記固定金物２０１におけるアーム部２０２の孔２０２ａに連通される孔２１１ａが設けてあり、また、前記バー取付部２１２には、当該組み金物２１０を手すりバー２３０にビス２４３を用いて止着するための孔２１２ａが設けてある。
【００７１】
かかる構成からなる前記固定金物２０１をビス２４３を用いて壁２６４に止着する。また、前記組み金物２１０における各組み付けアーム部２１１を当該固定金物２０１におけるアーム部２０２に密着させ、かつ、当該組み金物２１０におけるバー取付部２１２を前記手すりバー２３０の両側方から当該手すりバー２３０に寄せ付けた状態で、前記アーム部２０２の孔２０２ａと当該組み付けアーム部２１１の孔２１１ａに挿通されるボルト２４１にねじ入れられるナット２４２で固定金物２０１と組み金物２１０とが一体的に止着してあり、しかも、前記バー取付部２１２の孔２１２ａから手すりバー２３０にねじ入れられるビス２４３によって当該組み金物２１０と手すりバー２３０とが一体的に止着してある。
【００７２】
このようにしてニッチカウンター２５１に縦向きに組み付けられている各手すりバー２３０の任意の位置、この図示例にあっては、当該ニッチカウンター２５１より下方に位置する手すりバー２３０の下部側と、当該ニッチカウンター２５１を備えるニッチ２５０よりも上方に位置する手すりバー２３０の上部側をそれぞれ前記手すり取付具Ａｂを用いて壁２６４に止着し、前記手すりバー２３０の取り付けに用いられた固定金物２０１及び各組み金物２１０をカバー２２０によって覆い隠すようにして、縦手すりＨ’を構成する。
【００７３】
ここで固定金物２０１及び組み金物２１０を覆うカバー２２０は、当該固定金物２０１及び組み金物２１０の全部または主要部を覆って、手すりバー２３０における取付部の外観を整え得るものであれば、いかなる形態のものであってもよく、また、いかなる素材によって構成してあってもよい。
【００７４】
この図示例にあっては、例えば、当該カバー２２０を、前記固定金物２０１及び組み金物２１０によって前記壁２６４に取り付けられる手すりバー２３０の当該取付部がブロック状の外面を呈し得るように横側板部の一つを欠いた状態の箱状に構成してある。
【００７５】
かかるカバー２２０は、例えば、前記板状をなす組み付けアーム部２１１の板面に平行に組み付けられる四角形の底板部２２１と、この底板部２２１の一側縁に突設されて前記固定金物２０１の板状をなす壁取付部２０３に押し当てられる四角形の横側板部２２２と、この横側板部２２２に連続して前記底板部２２１の上下の縁から突設されて各先端縁２２３ａ、２２４ａを前記組み付けアーム部２１１の板面に、また、各側端縁２２３ｂ、２２４ｂを前記バー取付部２１２の板面に押し当てられる上側板部２２３及び下側板部２２４とを備えるように一体成形されたプラスチック製のものとしてあり、このプラスチック製カバー２２０の上側板部２２３及び下側板部２２４の各先端縁２２３ａ、２２４ａから突設されている各引っ掛け片２２５を前記板状をなす組み付けアーム部２１１の上縁部と下縁部とに欠設されている凹部２１１ｂに弾性的に引っ掛け、当該板状をなす組み付けアーム部２１１を当該引っ掛け片２２５によって挟持すると共に、前記壁取付部２０３とバー取付部２１２間に当該カバー２２０をその弾性を利用して押し入れ止着するようにしてある。
【００７６】
ついで、図１１〜図１５に示される手すり取付具Ａｃについて具体的に説明する。
この図１１〜図１５に示される手すり取付具Ａｃは、一定の距離を壁３６４との間に保って配置されている手すりバー３３０を当該壁３６４に沿うように縦向きに備え付ける手すり取付具Ａｃであって、
この手すり取付具Ａｃが、当該手すりバー３３０に向けて突き出すアーム部３０２を備えて前記壁３６４に備えられる固定金物３０１と、前記手すりバー３３０の軸中心線を含む仮想の面に沿って当該手すりバー３３０から突設される組み付けアーム部３１１を備えて当該手すりバー３３０に備え付けられる組み金物３１０とを有し、
この組み金物３１０の組み付けアーム部３１１と前記固定金物３０１のアーム部３０２とを互いに向き合わせて組み付け用い得るようにしてある。
【００７７】
かかる手すり取付具Ａｃは、壁３６４との間に一定の距離を保つように配置されている手すりバー３３０を当該壁３６４に対して容易かつ確実に縦向きに組み付け得る構成を備えたものである。
【００７８】
このように、壁３６４との間に一定の距離を保つように配置されている手すりバー３３０の典型的な一例として、この図示例にあっては、壁３６４に備えられているニッチ３５０のニッチカウンター３５１に組み付けられた手すりバー３３０を示している。更に、具体的には、玄関３６０における玄関土間３６１と玄関フロアー３６２間に備えられている上がり框３６３の側方にある壁３６４に設けられているニッチ３５０のニッチカウンター３５１に組み付けられる手すりバー３３０を前記手すり取付具Ａｃを用いて当該壁３６４に縦向きに備え付けた適用例を示している。
【００７９】
この図示例に係る手すりバー３３０は、より詳細には、前端縁部に沿って横手すり部３５１ａを備えるように手先部を差し入れ得る十分な幅を備えた長孔３５１ｂを当該前端縁に沿って備えているニッチカウンター３５１における当該長孔３５１ｂに差し入れられており、この長孔３５１ｂに対して縦向きに差し入れ状態にある手すりバー３３０を当該ニッチ３５０の備えられている壁３６４に沿うように、当該壁３６４に対して、その上部側と下部側とを前記手すり取付具Ａｃで固定し、前記横手すり部３５１ａに連続する縦手すりＨ’を構成するようにしてある。
【００８０】
この図示例において手すり取付具Ａｃを構成する固定金物３０１は、前記手すりバー３３０に向けてアーム部３０２を突き出すようにして前記壁３６４に備えられており、この図示例にあっては、前記壁３６４に添装状態で備え付けられる板状をなす壁取付部３０３と、この壁取付部３０３からほぼ直角に前方に突き出すように備えられている縦向きの板状をなすアーム部３０２とを備えた構成としてある。
【００８１】
より詳細には、板状をなす壁取付部３０３から直角に突設されているアーム部３０２における両側方にある各壁取付部３０３に設けられている孔３０３ａからビス３４３を当該壁３６４にねじ入れ、この固定金物３０１を手すりバー３３０の組み付け対象壁部に止着用いるようにしてある。
【００８２】
また、この固定金物３０１におけるアーム部３０２には、当該アーム部３０２に寄せ付けられるように組み付けられる組み金物３１０における組み付けアーム部３１１の組み付け孔３０２ａが設けてあり、壁３６４に備えられた当該固定金物３０１におけるアーム部３０２が、当該壁３６４に沿って備えられている手すりバー３３０と当該壁３６４との間に余裕を持って収まり得る突きだし幅に設けてある。
【００８３】
かかる固定金物３０１に組み付けられる組み金物３１０は、前記手すりバー３３０に取り付けられるバー取付部３１２と、当該バー取付部３１２から突き出し状態に備えられている組み付けアーム部３１１とを備えており、この手すりバー３３０の外周面に密着するように備えられている前記バー取付部３１２において当該組み金物３１０を手すりバー３３０に備えた際に当該組み金物３１０における前記組み付けアーム部３１１がこの手すりバー３３０の軸中心線を含む仮想の面に沿って突き出し得るようにしてある。
【００８４】
この図示例にかかる組み金物３１０におけるバー取付部３１２は手すりバー３３０の外周面に密着する湾曲板状に構成してあり、その湾曲外側面から板状をなす組み付けアーム部３１１が突き出し状態に設けてある。また、この組み付けアーム部３１１には前記固定金物３０１のアーム部３０２の孔３０２ａに連通される孔３１１ａが設けてあり、また、前記バー取付部３１２には、当該組み金物３１０を手すりバー３３０にビス３４３を用いて止着するための孔３１２ａが設けてある。
【００８５】
かかる構成からなる前記固定金物３０１をビス３４３を用いて壁３６４に止着する。また、前記組み金物３１０におけるバー取付部３１２を手すりバー３３０にビス３４３を用いて止着する。そして、この組み金物３１０における組み付けアーム部３１１と前記固定金物３０１におけるアーム部３０２とを互いに接しさせた状態で前記孔３１１ａ、３０２ａに通したボルト３４１に螺着したナット３４２で両者を固定状態に止着する。
【００８６】
かかる固定金物３０１に対する組み金物３１０の組み付けは、例えば、手すりバー３３０に前もって組み金物３１０を取付用意すると共に当該手すりバー３３０を回転して前記アーム部３０２と組み付けアーム部３１１とを接しさせて両者を組み付ける。
【００８７】
また、前記組み金物３１０の備え付けられる手すりバー３３０が丸棒状であり、しかも、前記バー取付部３１２が円弧状の湾曲取付面を備えている場合にあっては、この組み金物３１０におけるバー取付部３１２を当該手すりバー３３０の外周面に沿って移動させて、この組み金物３１０における組み付けアーム部３１１を前記アーム部３０２に接するように移動して当該組み付けアーム部３１１と該アーム部３０２相互を組み付けることもできる。
【００８８】
このようにしてニッチカウンター３５１に縦向きに組み付けられている各手すりバー３３０の任意の位置、この図示例にあっては、当該ニッチカウンター３５１より下方に位置する手すりバー３３０の下部側と、当該ニッチカウンター３５１を備えるニッチ３５０よりも上方に位置する手すりバー３３０の上部側をそれぞれ前記手すり取付具Ａｃを用いて壁３６４に止着し、前記手すりバー３３０の取り付けに用いられた固定金物３０１及び各組み金物３１０をカバー３２０によって覆い隠すようにして、縦手すりＨ’を構成する。
【００８９】
ここで固定金物３０１及び組み金物３１０を覆うカバー３２０は、当該固定金物３０１及び組み金物３１０の全部または主要部を覆って、手すりバー３３０における取付部の外観を整え得るものであれば、いかなる形態のものであってもよく、また、いかなる素材によって構成してあってもよい。
【００９０】
この図示例にあっては、例えば、当該カバー３２０を、前記固定金物３０１及び組み金物３１０によって前記壁３６４に取り付けられる手すりバー３３０の当該取付部がブロック状の外面を呈し得るように横側板部の一つを欠いた状態の箱状に構成してある。
【００９１】
かかるカバー３２０は、例えば、前記板状をなすアーム部３０２及び組み付けアーム部３１１の板面に平行に組み付けられる四角形の底板部３２１と、この底板部３２１の一側縁に突設されて前記固定金物３０１の板状をなす壁取付部３０３に押し当てられる四角形の横側板部３２２と、この横側板部３２２に連続して前記底板部３２１の上下の縁から突設されて各先端縁３２３ａ、３２４ａを前記アーム部３０２及び組み付けアーム部３１１の板面に、また、側端縁３２３ｂ、３２４ｂを前記バー取付部３１２の板面に押し当てられる上側板部３２３及び下側板部３２４とを備えるように一体成形されたプラスチック製のものとしてあり、このプラスチック製カバー３２０の上側板部３２３及び下側板部３２４の各先端縁３２３ａ、３２４ａから突設されている各引っ掛け片３２５を前記板状をなすアーム部３０２及び組み付けアーム部３１１の上縁部と下縁部とに欠設されている凹部３０２ｂ、３１１ｂに弾性的に引っ掛け、当該板状をなすアーム部３０２及び組み付けアーム部３１１を当該引っ掛け片３２５によって挟持すると共に、前記壁取付部３０３とバー取付部３１２間に当該カバー３２０をその弾性を利用して押し入れ止着するようにしてある。
【００９２】
ついで、図１６〜図２０に示される手すり取付具Ａｄについて具体的に説明する。
この図１６〜図２０に示される手すり取付具Ａｄは、一定の距離を壁４６４との間に保って配置されている手すりバー４３０を当該壁４６４に沿うように縦向きに備え付ける手すり取付具Ａｄであって、
前記手すりバー４３０の軸中心線を含む仮想の面に沿って当該手すりバー４３０から突設されるアーム部４１１と当該アーム部４１１の先端部に備えられている前記手すりバー４３０の軸中心を中心とする円弧状取付部４１３とを備えた組み金物４１０と、
当該組み金物４１０における円弧状取付部４１３に密に接する弧状凹面４０１ｂを備えて前記壁４６４に取付け備えられる取付台４０１とを備えている構成としてある。
【００９３】
かかる手すり取付具Ａｄは、壁４６４との間に一定の距離を保つように配置されている手すりバー４３０を当該壁４６４に対して容易かつ確実に縦向きに組み付け得る構成を備えたものである。
【００９４】
このように、壁４６４との間に一定の距離を保つように配置されている手すりバー４３０の典型的な一例として、この図示例にあっては、壁４６４に備えられているニッチ４５０のニッチカウンター４５１に組み付けられた手すりバー４３０を示している。更に、具体的には、玄関４６０における玄関土間４６１と玄関フロアー４６２間に備えられている上がり框４６３の側方にある壁４６４に設けられているニッチ４５０のニッチカウンター４５１に組み付けられる手すりバー４３０を前記手すり取付具Ａｄを用いて当該壁４６４に縦向きに備え付けた適用例を示している。
【００９５】
この図示例に係る手すりバー４３０は、より詳細には、前端縁部に沿って横手すり部４５１ａを備えるように手先部を差し入れ得る十分な幅を備えた長孔４５１ｂを当該前端縁に沿って備えているニッチカウンター４５１における当該長孔４５１ｂに差し入れられており、この長孔４５１ｂに対して縦向きに差し入れ状態にある手すりバー４３０を当該ニッチ４５０の備えられている壁４６４に沿うように、当該壁４６４に対して、その上部側と下部側とを前記手すり取付具Ａｄで固定し、前記横手すり部４５１ａに連続する縦手すりＨ’を構成するようにしてある。
【００９６】
この手すりバー４３０に備え付けられる組み金物４１０は、前記手すりバー４３０に取り付けられるバー取付部４１２と、このバー取付部４１２から当該手すりバー４３０における軸中心線を含む仮想の面に沿って突設されているアーム部４１１と、この手すりバー４３０の軸中心を中心とする円弧をなすように当該アーム部４１１の先端部に備えられている円弧状取付部４１３とを備えて構成してある。
【００９７】
この図示例にかかる組み金物４１０におけるバー取付部４１２は手すりバー４３０の外周面に密着する湾曲板状に構成してあり、その湾曲外側面から縦向きの板状をなすアーム部４１１が手すりバー４３０の軸中心線を含む面に沿って突き出し状態に設けてある。また、このアーム部４１１の先端部には、当該手すりバー４３０の軸中心を中心とする円弧をなすように構成されている円弧状取付部４１３が湾曲板状のものとして設けてあり、この図示例にあっては、当該板状をなす円弧状取付部４１３のほぼ中程に前記アーム部４１１が位置づけられるように設けてある。かかる組み金物４１０のバー取付部４１２には、当該組み金物４１０を手すりバー４３０にビス４４１を用いて止着するための孔４１２ａが、また、前記円弧状取付部４１３には、当該組み金物４１０を前記取付台４０１を介して壁４６４にビス４４１で止着するための孔４１３ａがそれぞれ設けてある。
【００９８】
かかる組み金物４１０の組み付けられる取付台４０１は、当該組み金物４１０における前記円弧状取付部４１３に密着するように構成されている弧状凹面４０１ｂを有する構成としてあり、金属製、プラスチック製、木製等任意の素材によって構成したものを用いることができる。
【００９９】
この図示例に係る取付台４０１は、上下方向に向いた溝状、すなわち、横方向の中央で凹む上下方向を向いた溝状の弧状凹面４０１ｂを備えた台形状部材によって構成してあり、この弧状凹面４０１ｂが、前記手すりバー４３０の軸中心を中心とする円弧の一部をなすようにしてある。また、前記円弧状取付部４１３に備えられている孔４１３ａに連通してビス４４１を壁４６４にねじ入れ得る孔４０１ａを備えた構成としてある。
【０１００】
かかる構成からなる前記組み金物４１０をビス４４１を用いて手すりバー４３０に止着し、この手すりバー４３０における組み金物４１０の円弧状取付部４１３を壁４６４に備えられている取付台４０１における弧状凹面４０１ｂに向けて回動案内し、この弧状凹面４０１ｂに当該円弧状取付部４１３の外周面が密着するように当該円弧状取付部４１３を当該弧状凹面４０１ｂに摺接状態で移動し、この円弧状取付部４１３の外周面を弧状凹面４０１ｂに密着させた状態でビス４４１を用いて当該円弧状取付部４１３を取付台４０１を介して壁４６４に組み付ける。
【０１０１】
また、前記組み金物４１０の備え付けられる手すりバー４３０が丸棒状であり、しかも、前記バー取付部４１２が円弧状の湾曲取付面を備えている場合にあっては、この組み金物４１０におけるバー取付部４１２を当該手すりバー４３０の外周面に沿って移動させるようにして、この組み金物４１０のアーム部４１１における円弧状取付部４１３を前記取付台４０１の弧状凹面４０１ｂに案内し、この状態で、組み金物４１０を手すりバー４３０にビス４４１を用いて止着すると共に前記取付台４０１を介して壁４６４にビス４４１を用いて止着することもできる。
【０１０２】
このようにしてニッチカウンター４５１に縦向きに組み付けられている各手すりバー４３０の任意の位置、この図示例にあっては、当該ニッチカウンター４５１より下方に位置する手すりバー４３０の下部側と、当該ニッチカウンター４５１を備えるニッチ４５０よりも上方に位置する手すりバー４３０の上部側をそれぞれ前記手すり取付具Ａｄを用いて壁４６４に止着し、前記手すりバー４３０の取り付けに用いられた組み金物４１０をカバー４２０によって覆い隠すようにして、縦手すりＨ’を構成する。
【０１０３】
ここで組み金物４１０を覆うカバー４２０は、当該組み金物４１０及び取付台４０１の全部または主要部を覆って、手すりバー４３０における取付部の外観を整え得るものであれば、いかなる形態のものであってもよく、また、いかなる素材によって構成してあってもよい。
【０１０４】
この図示例にあっては、例えば、当該カバー４２０を、前記組み金物４１０によって前記壁４６４に取り付けられる手すりバー４３０の当該取付部がブロック状の外面を呈し得るように横側板部の一つを欠いた状態の箱状に構成してある。
【０１０５】
かかるカバー４２０は、例えば、前記板状をなすアーム部４１１の板面に平行に組み付けられる四角形の底板部４２１と、この底板部４２１の一側縁に突設されて前記板状をなす円弧状取付部４１３に押し当てられる湾曲した横側板部４２２と、この横側板部４２２に連続して前記底板部４２１の上下の縁から突設されて各先端縁４２３ａ、４２４ａを前記アーム部４１１の板面に押し当てられ、かつ、各側端縁４２３ｂ、４２４ｂを前記バー取付部４１２の板面に押し当てられる上側板部４２３及び下側板部４２４とを備えるように一体成形されたプラスチック製のものとしてあり、このプラスチック製カバー４２０の上側板部４２３及び下側板部４２４の各先端縁４２３ａ、４２４ａから突設されている各引っ掛け片４２５を前記板状をなすアーム部４１１の上縁部と下縁部とに欠設されている凹部４１１ａに弾性的に引っ掛け、当該板状をなすアーム部４１１を当該引っ掛け片４２５によって挟持すると共に、前記円弧状取付部４１３とバー取付部４１２間に当該カバー４２０をその弾性を利用して押し入れ止着するようにしてある。
【図面の簡単な説明】
【０１０６】
【図１】典型的な手すり取付具を用いて壁に手すりを設けた状態を示す斜視図
【図２】同縦断面図
【図３】同部品の分離斜視図
【図４】同取付工程の一例を示す要部斜視図
【図５】同取付状態を示す要部平断面図
【図６】他の典型的な手すり取付具を用いて壁に手すりを設けた状態を示す斜視図
【図７】同縦断面図
【図８】同部品の分離斜視図
【図９】同取付工程の一例を示す要部斜視図
【図１０】同取付状態を示す要部平断面図
【図１１】更に他の典型的な手すり取付具を用いて壁に手すりを設けた状態を示す斜視図
【図１２】同縦断面図
【図１３】同部品の分離斜視図
【図１４】同取付工程の一例を示す要部斜視図
【図１５】同取付状態を示す要部平断面図
【図１６】更に他の典型的な手すり取付具を用いて壁に手すりを設けた状態を示す斜視図
【図１７】同縦断面図
【図１８】同部品の分離斜視図
【図１９】同取付工程の一例を示す要部斜視図
【図２０】同取付状態を示す要部平断面図
【符号の説明】
【０１０７】
Ａａ  手すり取付具
Ａｂ  手すり取付具
Ａｃ  手すり取付具
Ａｄ  手すり取付具
Ｈ  手すり
１１０  組み金物
１１１  アーム部
１１２  壁取付部
１１３  バー取付部
１３０  手すりバー
１６４  壁
２０１  固定金物
２０２  アーム部
２１０  組み金物
２１１  組み付けアーム部
２１２  バー取付部
２３０  手すりバー
２６４  壁
３０１  固定金物
３０２  アーム部
３１０  組み金物
３１１  組み付けアーム部
４０１  取付台
４０１ｂ  弧状凹面
４１０  組み金物
４１１  アーム部
４１３  円弧状取付部
４３０  手すりバー
４６４  壁
【図１】
2006144457.tif 000003
【図２】
2006144457.tif 000004
【図３】
2006144457.tif 000005
【図４】
2006144457.tif 000006
【図５】
2006144457.tif 000007
【図６】
2006144457.tif 000008
【図７】
2006144457.tif 000009
【図８】
2006144457.tif 000010
【図９】
2006144457.tif 000011
【図１０】
2006144457.tif 000012
【図１１】
2006144457.tif 000013
【図１２】
2006144457.tif 000014
【図１３】
2006144457.tif 000015
【図１４】
2006144457.tif 000016
【図１５】
2006144457.tif 000017
【図１６】
2006144457.tif 000018
【図１７】
2006144457.tif 000019
【図１８】
2006144457.tif 000020
【図１９】
2006144457.tif 000021
【図２０】
2006144457.tif 000022